(57)【要約】【課題】カバー部材の着脱操作に際し、固定手段の着脱が困難になることを回避できる照明器具を提供する。【解決手段】本発明は、本体１と、前記本体１に配設された光源部２と、前記光源部２を制御するセンサ４と、前記光源部２を覆う透光性を有するカバー部材３と、前記本体１側に取付けられ、前記カバー部材３の長手方向の端面から長手方向に所定の離間距離Ｌ1を空けるとともに、前記カバー部材３の前面端よりも背面端寄りに配設されて前記センサ４の検知方向を異ならせて取付け可能なセンサ取付部材７と、前記カバー部材３の長手方向の端面であって、前記離間距離Ｌ1によって形成されるスペースに位置されてカバー部材３を本体１側に取付ける固定手段５とを備える照明器具である。【選択図】図４
2012190718.tif 000002
【特許請求の範囲】
【請求項１】
本体と；
前記本体に配設された光源部と；
前記光源部を制御するセンサと；
前記光源部を覆う透光性を有するカバー部材と；
前記本体側に取付けられ、前記カバー部材の長手方向の端面から長手方向に所定の離間距離を空けるとともに、前記カバー部材の前面端よりも背面端寄りに配設されて前記センサの検知方向を異ならせて取付け可能なセンサ取付部材と；
前記カバー部材の長手方向の端面であって、前記離間距離によって形成されるスペースに位置されてカバー部材を本体側に取付ける固定手段と；
を具備することを特徴とする照明器具。
【請求項２】
前記センサは、受光部を前面側に向け、かつカバー部材の前面端よりも背面側へ没入するように取付けられていることを特徴とする請求項１に記載の照明器具。
【発明の詳細な説明】
【技術分野】
【０００１】
本発明の実施形態は、光源部を制御するセンサを備えた照明器具に関する。
【背景技術】
【０００２】
従来、この種、照明器具において、省エネ、防犯や使用性の向上からセンサを備えて、このセンサによって照明を制御するものが知られている。例えば、玄関先に設置された照明器具においては、人感センサや照度センサによって、明るい状態では照明を消灯し、暗い状態で人が近づくと照明が点灯するといった制御が行われる。
このような照明器具は、通常、光源部を覆う透光性のカバー部材が固定手段によって本体側に着脱可能に取付けられるようになっている。
【先行技術文献】
【特許文献】
【０００３】
【特許文献１】特開２００９−２５９７５９号公報
【発明の概要】
【発明が解決しようとする課題】
【０００４】
しかしながら、上記照明器具において、センサを透光性のカバー部材の長手方向における端面側に設ける場合、構造上の制約からカバー部材の着脱操作に際し、固定手段の着脱が困難となる不具合が生じる。
【０００５】
本発明は、上記課題に鑑みなされたもので、カバー部材の着脱操作に際し、固定手段の着脱が困難になることを回避できる照明器具を提供することを目的とする。
【課題を解決するための手段】
【０００６】
本発明の実施形態による照明器具は、本体と、前記本体に配設された光源部と、前記光源部を制御するセンサと、前記光源部を覆う透光性を有するカバー部材とを備えている。
【０００７】
また、前記本体側に取付けられ、前記カバー部材の長手方向の端面から長手方向に所定の離間距離を空けるとともに、前記カバー部材の前面端よりも背面端寄りに配設されて前記センサの検知方向を異ならせて取付け可能なセンサ取付部材とを備えている。
【０００８】
さらに、前記カバー部材の長手方向の端面であって、前記離間距離によって形成されるスペースに位置されてカバー部材を本体側に取付ける固定手段を備えている。
【発明の効果】
【０００９】
本発明の実施形態によれば、センサ取付部材の共通化が可能であるとともに、カバー部材の着脱操作に際し、固定手段の着脱が困難になることを回避できる照明器具を提供することができる。
【図面の簡単な説明】
【００１０】
【図１】本発明の第１の実施形態に係る照明器具（天井面設置）を示す斜視図である。
【図２】同照明器具を示す分解斜視図である。
【図３】同照明器具においてカバー部材を取外して示すセンサの取付構成の斜視図である。
【図４】同センサの取付構成を示す正面図である。
【図５】同センサの取付構成を前面側から見て示す平面図である。
【図６】同センサの取付構成を示す側面図である。
【図７】センサの取付状態を説明するための正面図である。
【図８】本発明の第２の実施形態に係る照明器具（横方向設置）において、センサの取付構成を前面側から見て示す平面図である。
【図９】同センサの取付構成を示す正面図である。
【図１０】同センサの取付構成を示す側面図である。
【図１１】本発明の第３の実施形態に係る照明器具（縦方向設置）において、センサの取付構成を前面側から見て示す平面図である。
【図１２】同センサの取付構成を示す正面図である。
【図１３】同センサの取付構成を示す側面図である。
【発明を実施するための形態】
【００１１】
本発明の実施形態について図面を参照して説明する。本実施形態の照明器具は、いわゆる軒下用ブラケットであり、この軒下用ブラケットは、設置場所に応じて天井面に設置したり、壁面に横方向又は縦方向に設置したり、その姿勢を変えて設置されるものである。また、この軒下用ブラケットには、人感センサ及び照度センサとしての機能を有するセンサが取付けられるようになっている。
【００１２】
そして、このセンサは、設置する姿勢に応じて器具本体側に対して検知方向を異ならせることができるようになっており、適切な検知が可能に構成されるものである。
以下、本発明の第１の実施形態について図１乃至図７を参照して説明する。なお、各図において同一部分には同一符号を付し、重複した説明は省略する。
【００１３】
本実施形態では、照明器具としての軒下用ブラケットが天井面へ設置される場合（タイプ）を示している。図１は、斜視図を示しており、図２は、分解斜視図を示している。
照明器具は、本体であるシャーシ１と、光源部２と、カバー部材３と、センサ４とを備えている。
【００１４】
シャーシ１は、亜鉛めっき鋼板を折曲して形成され、略長方形状に作られている。このシャーシ１の背面側は、例えば、天井面への取付面となり、前面側（光の照射方向側）には、光源部２が配設されるようになっている。
【００１５】
シャーシ１における長手方向の両端部には、一対の台座金具１１及び取付金具１２が取付けられている。台座金具１１は、折曲して形成されており、その略中央部には前面側（図示上、下方側）へ垂下するようにカバー部材３の取付片１３が形成されている。この取付片１３の先端側には、後述する取付ねじ５がねじ込まれるねじ穴１３ａが形成されている。
取付金具１２は、光源部２を両側から保持するものであり、一対の台座金具１１に取付けられている。
【００１６】
光源部２は、ＬＥＤモジュール２１と、このＬＥＤモジュール２１を覆い収容する透明のアクリル樹脂で形成された横長筒状のカバー２２とを備えている。ＬＥＤモジュール２１は、複数の長方形状の基板と、この基板に実装された光源としての複数のＬＥＤとから構成されている。この基板は、長手方向に並べられて配設されている。
【００１７】
基板は、絶縁材であるガラスエポキシ樹脂からなり、表面側には銅箔で形成された配線パターンが施されている。また、適宜レジスト層が施されるようになっている。なお、基板の材料は、金属製とする場合には、アルミニウム等の熱伝導性が良好で放熱性に優れたべース板の一面に絶縁層が積層された金属製のべース基板を適用するのが好ましい。
【００１８】
ＬＥＤは、表面実装型のＬＥＤパッケージである。概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。
【００１９】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２０】
なお、ＬＥＤは、ＬＥＤチップを直接基板に実装するようにしてもよく、また、砲弾型のＬＥＤを実装するようにしてもよく、実装方式や形式は、格別限定されるものではない。
【００２１】
このように構成された光源部２は、前記取付金具１２に両端部が保持されて取付けられている。なお、ＬＥＤモジュール２１の背面側には、商用電源に接続され、このＬＥＤモジュール２１におけるＬＥＤに電力を供給し点灯制御する電源ユニットが配設されている。つまり、筒状のカバー２２内には、ＬＥＤモジュール２１及び電源ユニットが配設されるようになっている。
【００２２】
カバー部材３は、透光性を有し、乳白色を呈するアクリル樹脂よって形成されていて、光源部２を覆い、光源部２から出射される光を拡散する機能を有している。このカバー部材３は、横長の直方体形状であって側面形状が背面側方向へ向かって拡がる台形状に形成されている。また、一対の側面の前面側（図示上、下方側）寄りには、ねじ貫通孔３１が形成されている。
【００２３】
そして、カバー部材３は、シャーシ１側に固定手段としての取付ねじ５によって取付けられるようになっている。より詳しくは、カバー部材３をシャーシ１の前面側から被せるように配置し、取付ねじ５をねじ貫通孔３１に貫通させて、シャーシ１側の取付片１３のねじ穴１３ａにねじ込んでカバー部材３をシャーシ１に取付けるようにする。
【００２４】
次に、図３乃至図７の参照を加えてセンサ４について説明する。図は、センサ４の取付構成を示しており、図３は、カバー部材３を取外して示す斜視図であり、図４は、正面図、図５は、前面側から見た平面図、図６は、側面図、図７は、取付状態を説明するための正面図である。
【００２５】
まず、図２に代表して示すように、センサ４は、センサケース４１と、このセンサケース４１に設けられた球面状に突出した受光部４２とを有している。このセンサ４は、人感センサ及び照度センサとしての機能を有しており、受光部４２には、焦電センサやフォトダイオード等の光電変換素子が配設されている。したがって、このセンサ４の検知範囲に従った検知出力によってＬＥＤモジュール２１の点灯動作が制御される。
【００２６】
このセンサ４は、センサ取付台座６に取付けられている。このセンサ取付台座６は、台座壁６１及びこの台座壁６１から起立するように折曲形成された取付壁６２を有し、台座壁６１には、センサ４から導出される信号線等の配線（図示を省略する）が挿通する挿通孔６３が形成されている。また、台座壁６１の３辺には、背面方向に折曲形成されたフラップ６４が形成されている。
【００２７】
一方、シャーシ１の端部には、センサ取付部材７が取付けられている。このセンサ取付部材７は、ベース壁７１及びこのベース７１から起立するように折曲形成された取付壁７２を有し、取付壁７２には、センサ４から導出される信号線等の配線が挿通する挿通孔７３が形成されている。また、取付壁７２の３辺には、長手方向内側に折曲形成されたフラップ７４が形成されている。このセンサ取付部材７は、カバー部材３の前面端よりも背面端寄りに配設されるようになっている。
【００２８】
このセンサ取付部材７におけるベース壁７１は、シャーシ１と台座金具１１との間に挟み込まれて取付けられて、取付壁７２がシャーシ１の端部から所定の離間距離Ｌ1が確保されるように配置される。そして、このセンサ取付部材７の取付壁７２にセンサ取付台座６の取付壁６２が重ね合わされて、ねじによって固定され、これによって、センサ４がシャーシ１側に取付けられる。
【００２９】
なお、センサ取付部材７には、センサ４がその検知方向を異ならせて取付けられるようになっている。つまり、後述するように照明器具を設置する姿勢に応じて検知方向を異ならせることができる。
【００３０】
主として図３乃至図６に示すように、センサ４の取付状態においては、センサ４は、検知方向が前面側に向けられて、カバー部材３の端面から長手方向に所定の離間距離Ｌ1が空けられて配置されることとなる。また、センサ４は、その受光部４２がカバー部材３の前面側の端部よりも背面側へ所定の寸法Ｌ2没入されるように配置されるようになる。
したがって、センサ４の検知範囲、すなわち、受光角度θを狭めることなく検知範囲を適切に確保することが可能となる。
【００３１】
また、この場合、カバー部材３の着脱操作に際し、取付ねじ５の着脱を行うが、センサ取付部材７がカバー部材３の前面端よりも背面端寄りに配設されていること、及び所定の離間距離Ｌ1によってスペースが形成されていることにより、取付ねじ５の着脱が困難になることを回避できる。
さらに、センサ４の受光部４２がカバー部材３の前面側の端部よりも前面側へ所定の寸法Ｌ2没入されていることが相俟って、さらに着脱の困難性を回避できる。
また、センサ４は背面側へ没入しているので、外観上目立つことを軽減でき、デザイン上も有利となる。
【００３２】
加えて、センサ取付部材７は、カバー部材３の前面端よりも背面端寄りに配設され、このセンサ取付部材７に、センサ４がセンサ取付台座６を介して取付けられるので、センサ４をカバー部材３の前面端よりも没入させやすい構成となっている。
【００３３】
仮に、図７に示すように、センサ４をカバー部材３の端面から所定の離間距離Ｌ1を空けることなく配設した場合には、センサ４の受光角度θがカバー部材３の長手方向の端面によって遮られ、受光角度θが狭くなり、適切な検知ができなくなるという問題が発生する。また、取付ねじ５の着脱が困難となるばかりではなく、取付ねじ５の取付部位の確保自体が困難となる可能性がある。
【００３４】
なお、上記照明器具において、センサ取付台座６やセンサ取付部材７のフラップ７４等、少なくとも外観上、視認可能な表面部分は、白色を呈するように形成されている。これにより、明るさ感を阻害するのを抑制することが可能となる。
【００３５】
照明器具の設置状態において、電源ユニットに電力が供給されると、ＬＥＤモジュール２１におけるＬＥＤに通電されＬＥＤは発光する。ＬＥＤから出射された光は、筒状のカバー２２を透過し、拡散性を有する透光性のカバー部材３を透過して拡散され、所定範囲に照射される。
【００３６】
また、センサ４の検知出力によってＬＥＤモジュール２１におけるＬＥＤの発光が制御される。例えば、昼間の明るい状態では消灯し、暗くなった状態では減光点灯し、このとき、人が近づくと全光点灯し、人が離れて所定時間経過すると再度減光点灯に戻るといった制御が可能となる。このため、省エネ、防犯、自動的に点灯や消灯が行われるため使用性が向上できる等の効果を奏することができる。
この場合、センサ４の検知範囲が適切に確保されているため、所望のセンサ４による検知が実行されるようになる。
【００３７】
以上のように本実施形態によれば、カバー部材３の着脱操作に際し、固定手段である取付ねじ５の着脱が困難になることを回避できる照明器具を提供することができる。また、センサ取付部材７には、センサ４がその検知方向を異ならせて取付けられるようになっているので部品の共通化が可能となる。さらに、センサ４による検知範囲を適切に確保することが可能となる。
【００３８】
次に、本発明の第２の実施形態について図８乃至図１０を参照して説明する。なお、第１の実施形態と同一又は相当部分には同一符号を付し、詳細な説明は省略する。
【００３９】
本実施形態では、照明器具としての軒下用ブラケットが壁面へ横方向に設置される場合（タイプ）を示している。図８乃至図１０は、センサ４の取付構成を示しており、図８は、前面側から見た平面図、図９は、正面図、図１０は、側面図である。
【００４０】
本実施形態は、本体としてのシャーシ１、カバー部材３、また、センサ取付部材７等の基本的構成は、第１の実施形態と同様である。したがって、センサ取付部材７は、第１の実施形態における天井面へ設置される場合と共通化されている。
【００４１】
異なる構成は、センサ４の取付けの向き、つまり、本体側に対してセンサ４の検知方向が異なっている点である。これは、照明器具の設置状態において、センサ４の検知方向を光の照射方向及びシャーシ１における長手方向それぞれに略直交する方向として適切な検知範囲を確保するためである。
【００４２】
センサ４は、前面側方向及びシャーシ１における長手方向それぞれに略直交する方向に受光部４２、すなわち、検知方向が向けられている。具体的には、センサ４は、階段状に屈曲されたセンサ取付具６に取付けられ、このセンサ取付具６がセンサ取付部材７の取付壁７２に取付けられることによって、センサ４は、センサ取付部材７に取付けられている。
【００４３】
センサ４の取付状態においては、第１の実施形態と同様に、センサ取付部材７の共通化とともに、センサ取付部材７がカバー部材３の前面端よりも背面端寄りに配設されていること、及び所定の離間距離Ｌ1によってスペースが形成されていることにより、取付ねじ５の着脱が困難になることを回避できる。さらに、センサ４は背面端寄りに位置しているので、外観上目立つのを軽減することができ、デザイン上も有利となる。
【００４４】
次に、本発明の第３の実施形態について図１１乃至図１３を参照して説明する。なお、第１の実施形態と同一又は相当部分には同一符号を付し、詳細な説明は省略する。
【００４５】
本実施形態では、照明器具としての軒下用ブラケットが壁面へ縦方向に設置される場合（タイプ）を示している。図は、センサ４の取付構成を示しており、図１１は、前面側から見た平面図、図１２は、正面図、図１０は、側面図である。
【００４６】
本実施形態においても第２の実施形態と同様に、センサ取付部材７が共通化されている。  センサ４は、長手方向に検知方向が向けられている。本実施形態においては、上記各実施形態のように、センサ４をセンサ取付部材７に取付けるためのセンサ取付台座やセンサ取付具は設けられていない。センサ４がセンサ取付部材７の取付壁７２に直接的に取付けられるようになっている。
【００４７】
センサ４の取付状態においては、上記各実施形態と同様に、センサ取付部材７の共通化とともに、センサ取付部材７がカバー部材３の前面端よりも背面端寄りに配設されていること、及び所定の離間距離Ｌ1によってスペースが形成されていることにより、取付ねじ５の着脱が困難になることを回避できる。
【００４８】
なお、本発明は、上記実施形態の構成に限定されることなく、発明の要旨を逸脱しない範囲で種々の変形が可能である。例えば、光源としては、ＬＥＤに限らず蛍光ランプ等を適用するのを妨げるものではない。
【００４９】
また、本発明のセンサの取付け構成は、新たに設計する照明器具に適用できるばかりではなく、既に基本的に設計された既存の照明器具にセンサを取付ける場合にも適用可能である。
【符号の説明】
【００５０】
１・・・本体（シャーシ）、２・・・光源部、３・・・カバー部材、
４・・・センサ、５・・・固定手段（取付ねじ）、６・・・センサ取付台座、
７・・・センサ取付部材、１１・・・台座金具、１３・・・取付片、４２・・・受光部、
Ｌ1・・・離間距離
【図１】
2012190718.tif 000003
【図２】
2012190718.tif 000004
【図３】
2012190718.tif 000005
【図４】
2012190718.tif 000006
【図５】
2012190718.tif 000007
【図６】
2012190718.tif 000008
【図７】
2012190718.tif 000009
【図８】
2012190718.tif 000010
【図９】
2012190718.tif 000011
【図１０】
2012190718.tif 000012
【図１１】
2012190718.tif 000013
【図１２】
2012190718.tif 000014
【図１３】
2012190718.tif 000015